(57)【要約】【課題】お手つきがあっても再入力の必要がなく意図しない入力のみを排除し、意図した入力のみを分別できるタッチパネルを提供する。【解決手段】下部基板４１の各領域の上下電極を一括して電位検出用に用い、上部フィルム２１のｘ１〜ｘ４の各領域の左右電極に順次電圧を加え、下部基板の電極で電位を読み、電位から座標を計算し、ついで左右電極の電圧を反転して順次印加して同様に座標を計算して両座標が一致すればＸ座標を特定し、一致しなければお手つき処理に移り、次は下部基板４１の左右電極に順次正電圧と逆電圧を加えて上部フィルム２１の電極で電位を検出して、Ｘ座標を確定するか、またはお手つきとしてデータを廃棄する。Ｙ座標についても同様に処理をしてＹ座標を確定するか、またはお手つきとしてデータを廃棄する。【選択図】  図１
2004252739.tif 000002
【特許請求の範囲】
【請求項１】
一方の面に導電膜を形成した基板と、
前記基板の導電膜形成面と対向する面に導電膜を形成し前記基板とはドットスペーサによって隔離されたフィルムとを備え、
前記フィルムの導電膜は第１の方向に複数の第１の矩形領域に分割され前記複数の第１の領域のそれぞれは四辺に互いに絶縁された電極を有し、
前記基板の導電膜は前記第１の方向と直交する第２の方向に複数の第２の矩形領域に分割され前記複数の第２の矩形領域のそれぞれは四辺に互いに絶縁された電極を設けたことを特徴とする領域分割タッチパネル。
【請求項２】
前記フィルムにおいて第１の電極対は前記各矩形領域の第１の方向の両端の対辺に配置され、
前記フィルムにおいて第２の電極対は前記各矩形領域の第２の方向の両端の対辺に配置され、
前記基板において第３の電極対は前記各矩形領域の第２の方向の両端の対辺に配置され、
前記基板において第４の電極対は前記各矩形領域の第１の方向の両端の対辺に配置されており、
前記フィルムの上から押圧された点の第１の方向の座標検出のため少なくとも前記第３の電極対を一括して電位検出に用い、前記第１の電極対に順次電圧を印加して検出電位から第１の方向の押圧点の第１の座標を検出し、ついで前記第１の電極対に順次逆方向の電圧を印加して検出電位から第１の方向の第２の座標を検出し、第１と第２の座標が一致したときは押圧点の第１の方向の座標として決定し、一致しないときはお手つきと判定し、
前記フィルムの上から押圧された点の第２の方向の座標検出のため少なくとも前記第１の電極対を一括して電位検出に用い、前記第３の電極対に順次電圧を印加して検出電位から第２の方向の押圧点の第３の座標を検出し、ついで前記第３の電極対に順次逆方向の電圧を印加して検出電位から第２の方向の第４の座標を検出し、第３と第４の座標が一致したときは押圧点の第２の方向の座標として決定し、一致しないときはお手つきと判定することを特徴とする請求項１記載の領域分割タッチパネル。
【請求項３】
前記押圧点における第１の方向の座標がお手つきと判定されたとき、さらに少なくとも前記第１の電極対を一括して電位検出に使い、前記基板の第４の電極対に順次電圧を印加して検出電位から第１の方向の第５の座標を検出し、ついで前記第４の電極対に順次逆方向の電圧を印加して検出電位から第１の方向の第６の座標を検出し、第５と第６の座標が一致したときは押圧点の第１の方向の座標として決定し、一致しないときはお手つきと判定してデータを廃棄することを特徴とする請求項２記載の領域分割タッチパネル。
【請求項４】
前記押圧点における第２の方向の座標がお手つきと判定されたとき、さらに少なくとも前記第３の電極対を一括して電位検出に使い、前記フィルムの第２の電極対に順次電圧を印加して検出電位から第２の方向の第７の座標を検出し、ついで前記第２の電極対に順次逆方向の電圧を印加して検出電位から第２の方向の第８の座標を検出し、第７と第８の座標が一致したときは押圧点の第２の方向の座標として決定し、一致しないときはお手つきと判定してデータを廃棄することを特徴とする請求項２記載の領域分割タッチパネル。
【請求項５】
前記上部フィルム、前記下部基板および少なくともそれぞれの矩形領域間にある電極は透明であることを特徴とする請求項１から４のいずれかに記載の領域分割タッチパネル。
【発明の詳細な説明】
【０００１】
【発明の属する技術分野】
本発明は画面上の指示位置を検出する領域分割タッチパネルに関し、さらに詳しくは不意の操作やお手つきなど意図しない入力操作を排除することができる領域分割タッチパネルに関する。
【０００２】
【従来の技術】
図９は従来のタッチパネルの検出方法を示す概念図である。図において上部フィルム１の下面にはインジウム錫酸化物（以下ＩＴＯ）による透明導電膜３が形成され、１対の対辺にそれぞれ電極５、７が形成され、この電極に座標検出回路Ａ９が接続されている。
【０００３】
図９において、フィルム１と同じ大きさのガラスなどの基板１１がフィルム１と重畳されていて、基板１１上にはＩＴＯによる透明導電膜１３が形成され、フィルム１の電極と直交する一組の対辺に電極１５、１７が形成され、これら電極に座標検出回路Ｂ１９が接続されている。なお、フィルム１と基板１１の両者を表示するためにこれらをずらして表示していることを理解されたい。
【０００４】
フィルム１と基板１１との間には、図示しないが基板１１側に微細な、たとえばガラスビーズのような絶縁物（ドットスペーサ）が多数取り付けられ、常時は両者の透明導電膜同士を絶縁している。
【０００５】
このような従来の構成において、ペン、または指などで上部フィルム１の一点を押圧して入力すると、透明電極膜３と１３とが押圧点で接触する。このとき座標検出回路Ａ９により電極５−７間に電圧を印加し、電極１５、１７から座標検出回路Ｂ１９で電圧を検出すると、その電圧は電極５、７間のＸ座標を表す。つぎに座標検出回路Ｂ９により電極１５−１７間に電圧を印加し、電極５、７から座標検出回路Ａ９で電圧を検出すると、その電圧は電極１５、１７間のＹ座標を表すので、この結果から押圧された点のＸ、Ｙ座標を検出することができる。
【０００６】
ところが、入力中に、ペンや指先などで指示する本来の入力点以外に、手の甲や他の物体などが無意識にタッチパネル面に触れてしまうことがあり、従来の構成では複数箇所の同時入力となり、誤差を生じてしまう。
【０００７】
この意図しない入力を排除するための抵抗膜方式タッチパネルとしては、特開平８−５４９７７号公報（特許文献１）に所載のものが知られている。これは特許文献１のタッチパネルの抵抗膜シート５０の２電極から電圧を検出し、その差を電圧比較回路５５により測定して２点接触を検知するものである。
【０００８】
また特開２０００−２５０７１０号公報（特許文献２）に記載のものは、一定時間内に接触位置の座標が設定値より変化すると、接触位置を無効と判定する。または検出電流値の変化量が設定値以上であると、接触位置を無効と判定するものである。
【０００９】
【特許文献１】
特開平８−５４９７７号公報（第２−３頁、図１−４）
【特許文献２】
特開２０００−２５０７１０号公報（第２−４頁、図１−図３）
【００１０】
【発明が解決しようとする課題】
従来の構成においては、不意の操作であるお手つきにより、複数入力点の合成抵抗にかかる電圧を検出することになり、誤入力され検出誤差となる。
【００１１】
また特許文献１および特許文献２に示された構成では、お手つきをしたときは検出値自体を無効にするので、再入力しなければならず、操作に手間がかかるという不都合が生じる。
【００１２】
本発明は不意の行為であるお手つきが発生しても、本来の入力とは分離して正規の入力データだけ処理し、お手つきのデータを排除することができ、再入力を不要とすることができる領域分割タッチパネルを提供することを目的とする。
【００１３】
【課題を解決するための手段】
上記課題を解決するために、本発明の領域分割タッチパネルは、一方の面に導電膜を形成した基板と、内面に導電膜を形成し前記基板とはドットスペーサによって隔離されたフィルムとを備え、前記フィルムの導電膜は第１の方向に複数の矩形領域に分割し複数の第１の領域のそれぞれは四辺に互いに絶縁された電極を有し、前記基板の導電膜は前記第１の方向と直交する第２の方向に複数の矩形領域に分割し前記複数の第２の領域のそれぞれは四辺に互いに絶縁された電極を設ける。
【００１４】
そして、前記フィルムには第１の電極対および第２の電極対を備え前記第１の電極対は前記各矩形領域の第１の方向の両端の対辺に配置され、前記第２の電極対は前記各矩形領域の第２の方向の両端の対辺に配置され、前記基板は第３の電極対および第４の電極対を備え前記第３の電極対は各矩形領域の第２の方向の両端の対辺に配置され、前記第４の電極対は前記各矩形領域の第１の方向の両端の対辺に配置されており、前記フィルムの外面から押圧された点の第１の方向の座標検出のため少なくとも前記第３の電極対を一括して電位検出に用い、前記第１の電極対に順次電圧を印加して検出電位から第１の方向の押圧点の第１の座標を検出し、ついで前記第１の電極対に順次逆方向の電圧を印加して検出電位から第１の方向の第２の座標を検出し、第１と第２の座標が一致したときは押圧点の第１の方向の座標として決定し、一致しないときはお手つきと判定し、前記フィルムの外面から押圧された点の第２の方向の座標検出のため少なくとも前記第１の電極対を一括して電位検出に用い、前記第３の電極対に順次電圧を印加して検出電位から第２の方向の押圧点の第３の座標を検出し、ついで前記第３の電極対に順次逆方向の電圧を印加して検出電位から第２の方向の第４の座標を検出し、第３と第４の座標が一致したときは押圧点の第２の方向の座標として決定し、一致しないときはお手つきと判定するものである。
【００１５】
また上記の判定で前記押圧点における第１の方向の座標がお手つきと判定されたとき、さらに少なくとも前記第１の電極対を一括して電位検出に使い、前記基板の第４の電極対に順次電圧を印加して検出電位から第１の方向の第５の座標を検出し、ついで前記第４の電極対に順次逆方向の電圧を印加して検出電位から第１の方向の第６の座標を検出し、第５と第６の座標が一致したときは押圧点の第１の方向の座標として決定し、一致しないときはお手つきと判定してデータを廃棄するものである。
【００１６】
また上記の判定で前記押圧点における第２の方向の座標がお手つきと判定されたとき、さらに少なくとも前記第３の電極対を一括して電位検出に使い、前記フィルムの第２の電極対に順次電圧を印加して検出電位から第２の方向の第７の座標を検出し、ついで前記第２の電極対に順次逆方向の電圧を印加して検出電位から第２の方向の第８の座標を検出し、第７と第８の座標が一致したときは押圧点の第２の方向の座標として決定し、一致しないときはお手つきと判定してデータを廃棄するものである。
【００１７】
そうして上記各構成において、前記上部フィルム、前記下部基板および少なくともそれぞれの矩形領域間にある電極は透明であることを特徴とする構成も可能である。
【００１８】
本発明は上記のような構成によって、意図した本来の正規入力であるか、不意な操作によるお手つきであるかを正確に判別し、お手つきのデータを排除するとともに、同時に入力された本来のデータは無効にされることなく、再入力の手間もなくスムーズに処理されるので、通常の紙に手をついてペンでサインするのと同じ操作感覚でタッチパネルに手書き入力することができる。
【００１９】
【発明の実施の形態】
以下、図面に基づいて本発明の領域分割タッチパネルの一実施形態について説明する。図１は本発明の一実施形態の領域分割タッチパネルの説明概念図、図２は同じく動作概念の説明図、図３は同じく上部フィルムの各電極に対する印加電圧の制御方法を示すブロック図、図４は同じく基板の各電極に対する印加電圧の制御方法を示すブロック図、図５は同じくＸ座標検出処理の制御フローチャート、図６は同じくＹ座標検出処理の制御フローチャート、図７は同じくＸ座標お手つき処理の制御フローチャート、図８は同じくＹ座標お手つき処理の制御フローチャートである。
【００２０】
図１において、Ｘ座標検出用の上部フィルム２１は第１の方向である矢印Ｘ方向にｘ１、ｘ２、ｘ３およびｘ４の４つの矩形領域に分割している。上部フィルム２１の内面すなわち後述の基板と対向する面には従来例と同様インジウム錫酸化物（以下ＩＴＯ）による透明導電膜２３を成膜形成する。従来と異なる点は、分割した矩形領域のそれぞれの４辺に、各別に絶縁した透明な電極を形成することである。４辺のうち対辺の２つの電極で電極対を構成する。たとえば矢印Ｘ方向に着目すると、矩形領域ｘ１には電極２５ａと電極２５ｂとで構成された第１の電極対を形成する。同様に矩形領域ｘ２には電極２５ｂと電極２５ｃとで構成された第１の電極対を形成する。すなわち、矩形領域ｘ１とｘ２との境界の電極２５ｂは共用されている。こうした関係、すなわち電極を共用する構成は矩形領域ｘ３およびｘ４にも当てはまる。これらの電極には座標検出回路Ａ２７を接続する。
【００２１】
４辺の電極のうち矢印Ｙ方向に着目すると、矩形領域ｘ１〜ｘ４には第２の電極対としてそれぞれ電極２９ａと２９ｂ、３１ａと３１ｂ、３３ａと３３ｂおよび３５ａと３５ｂを形成している。そして、それらの電極には座標検出回路Ｄ３７を接続する。
【００２２】
Ｙ座標検出用の下部基板４１は、上部フィルム２１の領域分割方向とは直交した第２の方向であるＹ方向にｙ１、ｙ２、ｙ３およびｙ４の４つの矩形領域に分割し、上部フィルム２１に対向する一方の面にはＩＴＯによる透明導電膜４３を形成する。これも上部フィルム２１と同様に分割された各領域の４辺には、それぞれ絶縁された電極を有し、分割された境界上の電極を含む対辺の第３の電極対となる電極４５ａ〜４５ｅのうち隣り合う領域の境界の電極４５ｂ〜４５ｄは共通となっていて、これらの電極には座標検出回路Ｂ４７を接続する。
【００２３】
そして各領域の他の対辺には第４の電極対として電極対４９ａと４９ｂ、５１ａと５１ｂ、５３ａと５３ｂおよび５５ａと５５ｂ（図１示では電極５１ｂ、５３ｂ、５５ｂは隠れているが、実際は電極５１ａ、５３ａ、５５ａのそれぞれに対向した位置に存在する）のそれぞれ電極対が形成され、それらの電極には座標検出回路Ｃが接続されている。上記においてそれぞれの領域の境界の電極は液晶表示装置のドットピッチよりも十分細くする。またそれぞれの領域の境界の電極は少なくとも透明電極とする。図示しないが基板４１側に微細な、たとえばガラスビーズのような絶縁物が多数取り付けられ、常時は両者の透明導電膜同士を絶縁している。
【００２４】
図２を用いて本実施形態の動作概念を説明する。なお、表現が複雑になることを避けるために、以下の説明において、“左右電極”および“上下電極”なる語句を用いる。この意味は図を正視してそれぞれの矩形領域や所定箇所の左右に形成した電極およびそれらの上下に形成した電極であることを示す。また、単に“左電極”、“右電極”、“上電極”および“下電極”なる語句を用いる。これらの定義も上記“左右電極”や“上下電極”の同じ意味合いで定義する。さてＡ点にペンによる正規な入力操作が行われ、同時にＢ点にお手つきがあったとする。このとき、下部基板４１の各領域の上下電極を一括して電位検出に用い、上部フィルム２１に対して領域ｘ１の左右の電極に電圧Ｖｘａを印加し、領域ｘ１では押圧がされていないので電圧は検出されない。
【００２５】
つぎに領域ｘ２に電圧Ｖｘｂを印加すると、点Ａの左右電極からの位置に比例した電圧が下部基板４１の電極で検出され、ペン入力によるＸ座標が確定する。
【００２６】
領域ｘ３では電圧Ｖｘｃの印加に対してＢ点によるお手つきで異常電位を検出してお手つき状態が検出され、同様に領域ｘ４でも電圧Ｖｘｄの印加に対してＢ点によるお手つきで異常電位を検出してお手つき状態が検出され、領域ｘ３、ｘ４のデータはお手つき状態と判定される。
【００２７】
つぎに上部フィルム２１の各領域の左右電極を一括して検出に用い、下部基板４１の領域ｙ１に電圧Ｖｙａを印加すると、上部フィルム２１の電極で位置に比例した電圧が検出され、ペンによるＹ座標入力が確定する。
【００２８】
下部基板の領域ｙ２への電圧Ｖｙｂの印加では上部フィルム２１での電圧の検出はなく、領域ｙ３、ｙ４への電圧Ｖｙｃ、Ｖｙｄの印加では、Ｂ点によるお手つきでそれぞれ異常電圧の検出によりお手つき状態と判定される。
【００２９】
このように領域を分割し、順次電圧を加えながら判定していくことによって正規の入力とお手つきとを分別することができる。
【００３０】
ここで仮にＣ点にペン入力があったとすると、Ｘ座標においてはペン入力を分別できるが、Ｙ座標においてはお手つきと分別することができないため、さらに他の対辺にある電極を用いた構成に戻って詳細を説明する。
【００３１】
まずＸ座標の検出処理を図３、図４および図５を参照しながら詳細に説明する。図３、図４のブロック図において、それぞれの電極に接続するスイッチは制御信号Ｃｘｘ、Ｃｘｙ、ＣｙｙおよびＣｙｘによって一斉に切り換えられるのではなく、必要なスイッチだけを必要な方に切り換えるものとする。
【００３２】
図５のステップ５０１で上部基板２１の領域数Ｎを初期化する。ステップ５０２でＮをインクリメントし、ステップ５０３でスイッチ制御信号Ｃｙｙにより矩形領域ｙ１、ｙ２、ｙ３およびｙ４の上下対辺の電極４５ａ〜４５ｅをすべてＶｙ１端子に接続する。ステップ５０４でスイッチ制御信号Ｃｘｘにより矩形領域ｘＮの左電極にＶｘ１端子から高電位を、右電極にＶｘ２端子から接地電位を印加する。そしてステップ５０５でＶｙ１端子に電位が発生したかを見る。発生しなければステップ５０２へ戻り、発生すればステップ５０６で発生電位からＸ座標を計算して第１の座標としてＸ座標（１）を得る。ステップ５０７でスイッチ制御信号Ｃｘｘにより矩形領域ｘＮの左電極にＶｘ２端子から接地電位を、右電極にＶｘ１端子から高電位を印加する。すなわちステップ５０４とは逆電位を与える。そうしてＶｙ１端子に電位が発生したかどうかを見る。電位発生がなければステップ５０２へ戻り、電位発生があればステップ５０９で電位の値からＸ座標を計算し、第２の座標としてＸ座標（２）を得る。先のＸ座標（１）とＸ座標（２）を比較して同一座標を示せばステップ５１１でＸ座標を特定する。同一座標を示さなければステップ５１２でＸ座標お手つき処理に移る。
【００３３】
つぎにＹ座標の検出処理を図３、図４および図６を参照しながら詳細を説明する。ステップ６０１、６０２はステップ５０１、５０２と同様で以下の処理にも共通する。ステップ６０３でスイッチ制御信号Ｃｘｘにより矩形領域ｘ１、ｘ２、ｘ３、ｘ４のそれぞれの左電極と右電極２５ａ〜２５ｅを全てＶｘ１端子に接続する。ステップ６０４でスイッチ制御信号Ｃｙｙにより矩形領域ｙＮの上電極にＶｙ１端子から高電位を、下電極にＶｙ２端子から接地電位を印加する。そしてステップ６０５でＶｘ１端子に電位が発生しなければステップ６０２へ戻り、電位発生があれば、電位の値から第３の座標としてＹ座標（３）を計算する。
【００３４】
ステップ６０７でスイッチ制御信号Ｃｙｙにより矩形領域ｙＮの上電極にＶｙ２端子から接地電位を、下電極にＶｙ１端子から高電位を印加する。そうしてステップ６０８でＶｘ１端子に電位が発生しなければステップ６０２へ戻り、発生があればステップ６０９で電位の値から第４の座標としてＹ座標（４）を計算する。ステップ６１０でＹ座標（３）とＹ座標（４）を比較して同一座標であればステップ６１１でＹ座標を特定する。一致しなければステップ６１２でＹ座標お手つき処理に移行する。
【００３５】
つぎにステップ５１２から入るＸ座標のお手つき処理を図３、図４および図７を参照しながら詳細を説明する。ステップ７０３でスイッチ制御信号Ｃｘｘにより矩形領域ｘ１、ｘ２、ｘ３およびｘ４の左電極と右電極２５ａ〜２５ｅを全てＶｘ１端子に接続し、スイッチ制御信号Ｃｙｘにより矩形領域ｙＮの左電極にＶｙ１端子から高電位を、右電極にＶｙ２端子から接地電位を印加する。ステップ７０５でＶｘ１端子に電位発生がなければステップ７０２へ戻り、電位発生があればステップ７０６で電位の値から第５の座標としてＸ座標（５）を計算する。ステップ７０７でスイッチ制御信号Ｃｙｘにより矩形領域ｙＮの左電極にＶｙ２端子から接地電位を、右電極にＶｙ１端子から高電位を印加する。そしてステップ７０８でＶｘ１端子に電位発生なければステップ７０２へ戻り、電位発生があればステップ７０９で電位の値から第６の座標としてＸ座標（６）を計算し、ステップ７１０でＸ座標（５）とＸ座標（６）が同一であればＸ座標を特定し、同一でなければ無効座標として廃棄処理する。
【００３６】
つぎにステップ６１２から入るＹ座標のお手つき処理を図３、図４および図８を参照しながら詳細を説明する。ステップ８０３でスイッチ制御信号Ｃｙｙにより矩形領域ｙ１、ｙ２、ｙ３およびｙ４の上電極と下電極４５ａ〜４５ｅを全てＶｙ１端子に接続する。ステップ８０４でスイッチ制御信号Ｃｘｙにより矩形領域ｘＮの上電極にＶｘ１端子から高電位を、下電極にＶｘ２端子から接地電位を印加する。ステップ８０５でＶｙ１端子に電位発生がなければステップ８０２へ戻り、電位発生があれば、ステップ８０６で電位の値から第７の座標としてＹ座標（７）を計算する。ステップ８０７でスイッチ制御信号Ｃｘｙにより矩形領域ｘＮの上電極にＶｘ２端子から接地電位を、下電極にＶｘ１端子から高電位を印加する。ステップ８０８でＶｙ１端子に電位発生がなければステップ８０２へ戻り、電位発生があれば、ステップ８０９で電位の値から第８の座標としてＹ座標（８）を計算し、ステップ８１０でＹ座標（７）と（８）が同一であればステップ８１１でＹ座標を特定し、同一でなければステップ８１２で無効座標として廃棄処理をする。
【００３７】
このように本実施形態においては、互いに対向する面にＩＴＯによる透明導電膜を形成した上部フィルムと下部基板とが対向し、下部基板上面にドットスペーサとして微細な絶縁物が多数取り付けられていて、常時は両者の透明導電膜同士が絶縁され、上部フィルムをＸ方向にＮ個の矩形領域に分割し、それぞれの４辺に互いに絶縁した透明電極を設け、また下部基板はＹ方向にＮ個の矩形領域に分割し、それぞれの４辺に互いに絶縁した透明電極を設け、上部フィルムの各領域の左右電極に順次電圧を加えて、下部基板の電極で電位を検知してＸ座標を計算し、ついで各領域の左右電極に順次逆電圧を加えて下部基板の電極で電位を検出してＸ座標を検出し、両者の結果が同じであればＸ座標を特定し、異なればＸ座標のお手つき処理へ移行する。
【００３８】
Ｙ座標においてもＮ個に分割した下部基板の上下電極に同様に正逆電圧を加えてＹ座標を特定し、Ｘ座標のお手つき処理においては下部基板の左右電極を用いて同様に正逆電圧を加えてＸ座標を特定するかお手つきであると決定する。Ｙ座標のお手つき処理においては上部フィルムの上下電極を用いて同様に正逆電圧を加えてＹ座標を特定するかお手つきであると決定する。このような方法により同時に意図した入力と、意図しないお手つき入力があっても分別されて、意図した入力が採用され、意図しない入力のみが廃棄されて再入力する必要もない。
【００３９】
なお、上記実施形態では上部フィルムと下部基板とは、いずれも４個の領域に分割して示したが、領域の数はこれに限るものではなく、また上部フィルムと下部基板の分割数を変えても差し支えない。
【００４０】
また上部フィルムをＹ方向に分割し、下部基板をＸ方向に分割しても差し支えない。
【００４１】
またタッチパネルは液晶表示装置に好適なように透明材料として説明したが、タッチパネル単体で用いる場合は下部基板や上部フィルム、さらには電極も透明でなくてもよい。
【００４２】
さらに使用材料などは一例であり、同じ機能を果たす他の材料に置き換えても差し支えない。
【００４３】
【発明の効果】
以上説明したように、本発明の領域分割タッチパネルによれば、上部フィルムと下部基板とをそれぞれ異なる方向に複数領域に分割し、それぞれの領域の四辺に電極を設けたことによって、意図した本来の入力であるか、意図しないお手つきであるかを判別し、お手つきのデータを排除するとともに、同時に入力された本来のデータは無効にされることなく、再入力の手間もなくスムーズに処理されるので、通常の紙に手をついてペンでサインするのと同じ操作感覚でタッチパネルに手書き入力することができるので、その工業的価値は大きい。
【図面の簡単な説明】
【図１】本発明の一実施の形態に係る領域分割タッチパネルの説明概念図
【図２】同じく動作概念の説明図
【図３】同じく上部フィルムの各電極に対する印加電圧の制御方法を示すブロック図
【図４】同じく基板の各電極に対する印加電圧の制御方法を示すブロック図
【図５】同じくＸ座標検出処理の制御フローチャート
【図６】同じくＹ座標検出処理の制御フローチャート
【図７】同じくＸ座標お手つき処理の制御フローチャート
【図８】同じくＹ座標お手つき処理の制御フローチャート
【図９】従来のタッチパネル説明概念図
【符号の説明】
２１  上部フィルム
２３  透明導電膜
２５ａ〜２５ｅ  領域ｘ１〜ｘ４の左右の電極
２７  座標検出回路Ａ
２９ａ，２９ｂ，３１ａ，３１ｂ，３３ａ，３３ｂ，３５ａ，３５ｂ  領域ｘ１〜ｘ４の上下の電極
３７  座標検出回路Ｄ
４１  下部基板
４３  透明導電膜
４５ａ〜４５ｅ  領域ｙ１〜ｙ４の上下の電極
４７  座標検出回路Ｂ
４９ａ，４９ｂ，５１ａ，５１ｂ，５３ａ，５３ｂ，５５ａ，５５ｂ  領域ｙ１〜ｙ４の左右の電極
５７  座標検出回路Ｃ
ｘ１〜ｘ４  上部フィルムの矩形領域
ｙ１〜ｙ４  下部基板の矩形領域
【図１】
2004252739.tif 000003
【図２】
2004252739.tif 000004
【図３】
2004252739.tif 000005
【図４】
2004252739.tif 000006
【図５】
2004252739.tif 000007
【図６】
2004252739.tif 000008
【図７】
2004252739.tif 000009
【図８】
2004252739.tif 000010
【図９】
2004252739.tif 000011